【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】  複数の金融機関または業者の営業所のうちの1つに提示された小切手取引きおよび／またはクレジット・カード取引きの1つを検証する方法であって、
a）該検証が小切手取引きの目的であった場合、
a1）小切手が振り出される口座、引出しが行われる口座を有する金融機関、および中央処理センサーに関する情報を、小切手取引を開始するために顧客から提示された小切手から得る段階と、
a2）中央処理センターによって、複数の金融機関のすべての口座に関する現在の口座情報を検索する段階と、
a3）該金融機関または業者の営業所と中央処理センターを接続する通信チャネルを通じて、該金融機関または業者の営業所で提示された小切手に関する情報を中央処理センターに送信する段階と、
a4）中央処理センターにおいて、小切手が振り出される口座に対して小切手を振り出すことができるかどうかを判定する段階と、
a5）口座に対して小切手を振り出すことができる場合、暫定的に該口座の借方に記入し、該口座に対して該小切手を振り出すことができることを該金融機関または業者の営業所に通知する段階と、
a6）口座に対して小切手を振り出すことができない場合、該口座に対して該小切手を振り出すことができないことを該金融機関または業者の営業所に通知する段階、ならびに
b）該検証がクレジット・カード取引きの目的であった場合、
b1）クレジット・カード口座に関する情報を、クレジット・カード取引きを開始するために顧客から提示されたクレジット・カードから得る段階と、
b2）段階b1）で得られた情報を中央処理センターに送信する段階と、  
b3）該クレジット・カード口座に関する現在のクレジット・カード残高の情報を検索する段階と、
b4）中央処理センターにおいて、現在のクレジット・カード残高の情報およびクレジット・カード取引きについての現在のクレジット・カード取引きの総額に基いて、該クレジット・カード取引きを受け入れるかどうかを判定する段階と、
b5）段階b）における判定に関する情報を該金融機関または業者の営業所に送信する段階
を含む、方法。
【請求項２】  段階b1）で得られる情報が、中央処理センターを表す第1の複数の数字または文字と、クレジット・カードの種類を表す第2の複数の数字または文字と、該クレジット・カードの唯一の所有者に特有の第3の複数の数字または文字とを含む、請求項1記載の方法。
【請求項３】  中央処理センターで保存される情報によって判定される際に、クレジット・カード取り引きを該クレジット・カードの唯一の所有者が有するその他のクレジット・カードまたは銀行口座にリンクさせるために、複数の数字または文字を中央処理センターが使用する、請求項2記載の方法。
【請求項４】  ある小切手またはクレジット・カードを、該小切手または該クレジット・カードが、金融機関および業者の営業所の1つで提示されたときに受け入れることが可能かどうかを判定する装置または機構であって、
中央処理センターに通信可能に結合された複数の金融機関およびクレジット・カード機関の口座に関する情報を記憶するメモリを有する中央処理センサーと、
それぞれ複数の金融機関およびクレジット・カード機関を中央処理センターに接続する複数の通信チャネルと、
複数の金融機関または業者の営業所のうちの1つに提示された小切手またはクレジット・カードを読み取り、該小切手またはクレジットカード上に記憶されている情報を中央処理センターに送信するように構成された、複数の金融機関または業者の営業所のそれぞれにおける第一の読取ユニットとを含み、
中央処理センターが、メモリに記憶されている情報および読取ユニットから受信された情報に基づいて、該特定の口座に対して該小切手を振り出すことができるか、または該クレジット・カードが特定のクレジット・カード取り引きを受け入れることが可能かどうかを判定し、
中央処理センターが、小切手またはクレジット・カードが提示された金融機関および業者の営業所に、中央処理センターによる判定に関する情報を送信する装置または機構。
【請求項５】  業者の営業所に提示されたクレジット・カード取引きを検証する方法であって、
a）業者の営業所に通信可能に接続された中心処理センターに、検証すべきクレジット・カード取引きに関する情報を送信する段階と、
b）中央処理センターにおいて、業者の営業所に提示されたクレジット・カードの現在のクレジット・カード残高に加えられるクレジット・カード取引きの額がクレジット・カードのクレジット・カード限界を超えるかどうかを判定する段階と、  
c）段階b）における判定が、クレジット・カード現在を超えないという判定である場合、暫定的にクレジット・カードの借方に記入して、更新されたクレジット・カード残高を作成し、該クレジット・カード取引きが検証されたことを業者の営業所に知らせる段階と、
d）段階b）における判定が、クレジット・カード限界を超えるという判定である場合、
d1）中央処理センターにより、クレジット・カード取引きの額の一部またはすべてをカバーするのに用いることのできる他の口座をクレジット・カードの所有者が有しているか否かを判定する段階と、
d2）クレジット・カードの所有者用の他の口座が存在しないか、または口座は存在するが、クレジット・カード限界を超えるクレジット・カード取引きの額を処理するのに十分な資金を有していない場合、該クレジット・カード取引きがクレジット・カード限界を超えるために無効であることを業者の営業所に知らせる段階と、
d3）クレジット・カードの所有者用の少なくとも1つの口座が存在し、該少なくとも1つの口座に、クレジット・カード限界を超えるクレジット・カード取引きの額を処理するのに十分な資金がある場合、該クレジット・カード取引きが検証されたことを業者の営業所に知らせ、暫定的に該少なくとも1つの口座の借方に記入し、それに応じて暫定的にクレジット・カードの借方に記入する段階とを含む方法。
【請求項６】  当座預金口座またはクレジット・カード口座を検証するネットワークであって、
複数の金融機関および／またはクレジット・カード・サービスおよび／または業者の営業所を相互接続し、複数の金融機関および／またはクレジット・カード・サービスから連続的に受信された口座残高情報を受信し、かつ検証すべき現在の当座預金取引きまたはクレジット・カード取引きを1つの業者の営業所から受信するように構成され、したがって、特定の口座保持者に関連するすべての当座預金口座および／またはクレジット・カード口座における口座残高を瞬時に識別し監視することができる、少なくとも1つの中央処理センターと、
複数の金融機関およびクレジット・カード・サービスおよび業者の営業所を少なくとも1つの中央処理センターに接続する複数の通信チャネルと、
金融機関と業者の営業所の一方で提示された小切手またはクレジット・カードを読み取り、小切手またはクレジット・カード上に記憶されている情報を少なくとも1つの中央処理センターに送信するように構成された、複数の金融機関および業者の営業所のそれぞれにおける読取ユニットとを含み、
少なくとも1つの中央処理センターが、メモリに記憶されている情報および読取ユニットから受信された情報に基づいて、当座預金取引きまたはクレジット・カード取引きを検証できるか否かを判定し、
少なくとも1つの中央処理センターが、小切手またはクレジット・カードが提示された金融機関と業者の営業所の一方に、少なくとも1つの中央処理センターによる判定に関する情報を送信するシステム。
【請求項７】  クレジット・カードと小切手の一方によって行われる取引きを検証するネットワークであって、
それぞれの通信回線を介して複数の金融機関、複数の業者の営業所、複数のクレジット・カード・サービスに通信可能に接続された少なくとも1つの中央処理センターを含み、
少なくとも1つの中央処理センターが、
それぞれ複数の通信回線用に設けられた複数の入力ポートと、
複数の口座保持者用の複数の口座の現在の口座残高およびクレジット・カード残高に関する情報を記憶するメモリと、
検証すべき取引きに関する情報を複数の入力ポートの1つから受信し、メモリに記憶されている情報に基づいて取引きを検証すべきか否かを判定するように構成された処理ユニットとを含み、
取引きがクレジット・カード取引きであり、クレジット・カード取引きの値に加えられる現在のクレジット・カード残高がクレジット・カード限界を超えている場合、クレジット・カードの口座保持者が、クレジット・カードと共に使用するか、または単独で使用することのできる少なくとも1つの他の口座を有するかどうかを、処理ユニットが判定し、
それに応じて、暫定的に、少なくとも1つの他の口座およびクレジット・カード残高の借方に記入されるネットワーク。
【請求項８】  口座保持者と、それぞれの金融機関またはクレジット・カード・サービス、あるいはその両方とのいずれかによって、少なくとも1つの他の口座の借方に記入すべき額を所定の額以上に制限することができる、請求項7記載のネットワーク。
【請求項９】  少なくとも1つの中央処理センターが、クレジット・カード取引きで使用されるクレジット・カードの口座保持者のすべてのクレジット・カード口座および該他の口座を瞬時に検討する、請求項7記載のネットワーク。
【請求項１０】  少なくとも1つの中央処理センターが、それぞれ複数の異なるクレジット・カードに対応する複数のクレジット・カード・サービスに通信可能に接続されており、
それぞれのクレジット・カード・サービスが承認されたとき、2つの異なるクレジット・カードの一方がクレジット・カード取引き用に提示されており、2つの異なるクレジット・カードの一方のクレジット・カード限界および現在のクレジット・カード残高が、2つの異なるクレジット・カードの一方ではクレジット・カード取引きを検証できないようなクレジット・カード限界および現在のクレジット・カード残高である場合に、少なくとも2つの異なるクレジット・カード・サービスから得た少なくとも2つの異なるクレジット・カードを用いることによってクレジット・カード取引きを検証することができ、
それに応じて、該クレジット・カード取引きを検証するために、少なくとも1つの処理センターにおいて暫定的に、少なくとも1つの異なるクレジット・カードの借方に記入される、請求項7記載のネットワーク。